(57)【特許請求の範囲】
【請求項１】
一端に排水口が設けられた浴槽パンを含み、一般仕様の浴槽と介護用の機械浴槽とを相互に交換可能なユニットルーム構造であり、
略中央に一般仕様の浴槽の脚部が接着剤で接着固定される前記浴槽パンの前記排水口が設けられた一端に設置されるグレーチング受けフレーム、および前記排水口が設けられた前記浴槽パンの他端に設置される床台受けフレーム、および前記床台受けフレーム上に設置される床台、
または、前記グレーチング受けフレーム、および前記浴槽パンに設置される機械浴槽設置用床台、
または、前記浴槽パンに設置され、前記浴槽パン全体を覆うフラット床台、
のうちいずれか１つを選択可能であり、前記機械浴槽設置用床台は、機械浴槽からの排水を一時的に貯める溝部を有するユニットルーム構造。
【請求項２】
一端に排水口が設けられた浴槽パンを含み、一般仕様の浴槽と介護用の機械浴槽とを相互に交換可能なユニットルーム構造であり、
一般仕様の浴槽の脚部が接着剤で接着固定される前記浴槽パンの前記排水口が設けられた一端に設置されるグレーチング受けフレーム、
または、前記グレーチング受けフレーム、および前記浴槽パンに設置される機械浴槽設置用床台、
または、前記浴槽パンに設置され、前記浴槽パン全体を覆うフラット床台、
のうちいずれか１つを選択可能であり、前記機械浴槽設置用床台は、機械浴槽からの排水を一時的に貯める溝部を有するユニットルーム構造。
【請求項３】
設置される一般仕様の浴槽の長辺と、前記グレーチング受けフレームの短辺と、前記床台の短辺の和は、前記浴槽パンの長辺と等しく、
かつ、前記グレーチング受けフレームの短辺と、前記機械浴槽設置用床台の長辺の和は、前記浴槽パンの長辺と等しい請求項１に記載のユニットルーム構造。
【請求項４】
設置される一般仕様の浴槽の長辺と、前記グレーチング受けフレームの短辺の和は、前記浴槽パンの長辺と等しく、
かつ、前記グレーチング受けフレームの短辺と、前記機械浴槽設置用床台の長辺の和は、前記浴槽パンの長辺と等しい請求項２に記載のユニットルーム構造。
【請求項５】
前記溝部は、前記浴槽パンの前記排水口が設けられた一端に向かって低くなるように傾斜している請求項１〜４のいずれか１項に記載のユニットルーム構造。
【請求項６】
前記機械浴槽設置用床台は上部に、機械浴槽が載る平面部であり、当該機械浴槽が設置されるユニットルームに設けられた排水口がある方向に向かって低くなるように傾斜している平面部を有する請求項１〜５のいずれか１項に記載のユニットルーム構造。
【請求項７】
前記平面部が占める面積は、前記機械浴槽設置用床台の上部の半分以上の面積である請求項６に記載のユニットルーム構造。
【請求項８】
設置される一般仕様の浴槽と、当該一般仕様の浴槽が当接する壁面との間に設けられる浴槽デッキカウンター天板であり、
前記浴槽デッキカウンター天板は、前記浴槽パンに設けられた排水口がある方向に向かって低くなるように傾斜している傾斜部分を含む請求項１〜７のいずれか１項に記載のユニットルーム構造。
【請求項９】
一端に排水口が設けられた浴槽パン上で一般仕様の浴槽と介護用の機械浴槽とを相互に交換可能なユニットルーム施工方法であり、
略中央に一般仕様の浴槽の脚部が接着剤で接着固定された前記浴槽パンの前記排水口が設けられた一端に設置されるグレーチング受けフレームと、前記排水口が設けられた前記浴槽パンの他端に設置される床台受けフレームと、前記床台受けフレーム上に設置される床台と、を設置すること、
または、前記グレーチング受けフレームと、前記浴槽パンに設置可能で機械浴槽からの排水を一時的に貯める溝部を有する機械浴槽設置用床台と、を設置すること、
または、前記浴槽パンに設置可能であり、前記浴槽パン全体を覆うフラット床台を設置すること、
のうちいずれか１つを選択可能であるユニットルーム施工方法。
【発明の詳細な説明】
【技術分野】
【０００１】
本発明は、一般仕様の浴槽と介護用の機械浴槽とを相互に交換可能なユニットルーム構造およびユニットルーム施工方法に関するものである。
【背景技術】
【０００２】
高齢化社会に伴い、入浴動作や座位の保持が出来なかったり、寝たきりだったりする要介護者数が増加している。このような要介護者でも、座ったままや寝たままの状態で入浴できる機能がついた介護用の機械浴槽のニーズが増加している。そして、このような介護用の機械浴槽は、高齢者向け住宅や老人ホームなどの介護施設を始めとして、一般家庭でも導入のニーズが増加している。
【０００３】
要介護者のためのユニットルームに関する先行技術として、例えば特許文献１，２に示すものがある。特許文献１には、高齢者等、被介護者等の身体機能の変化に対応させて使用利便性を向上させることができる可変住空間ユニット住宅が記載されている。具体的には、複数の建物ユニットを組み合わせてユニット建物を構成する可変住空間ユニット住宅であり、バスルームユニットや照明付き手摺部材が設けられる可変住空間ユニット住宅が記載されている。
【０００４】
また、特許文献２には、入浴者に応じて簡単に構成を変更することができる浴室構造が記載されている。具体的には、浴室における浴槽設置スペースの浴槽長辺方向の寸法を、浴槽の長辺の寸法と介助設備設置スペースの寸法との和よりも大きい長さに設定し、浴槽設置スペースの浴槽長辺方向の中央部または端部のいずれかに位置変更可能に浴槽を固定させる位置固定手段を設け、浴槽設置スペースの浴槽を設置した残りの部分に対して着脱、交換可能な介助設備を設けている。
【先行技術文献】
【特許文献】
【０００５】
【特許文献１】特開２０００−２７３９６６号公報
【特許文献２】特開２０００−１６７０１２号公報
【発明の概要】
【発明が解決しようとする課題】
【０００６】
特許文献１，２に記載の技術は、要介護者のためのユニットルームに関する技術であるが、導入のニーズが増加している介護用の機械浴槽と、いわゆる健常者が利用する一般仕様の浴槽が、相互に交換できることを目的とするものではない。特に、機械浴槽と一般仕様の浴槽とでは、形状の違いや排水量の違いなどがあるため、単純に置き換えることはできない。しかし、介護施設や一般家庭等においては、利用者の重度化に合わせて一般仕様の浴槽が利用される場面も多いため、一般仕様の浴槽から介護用の機械浴槽に交換することや、介護用の機械浴槽から一般仕様の浴槽に交換することが求められている。
【０００７】
そこで本発明は、一般仕様の浴槽から介護用の機械浴槽に交換可能であり、また、介護用の機械浴槽から一般仕様の浴槽への交換等もできることで、介護施設や一般家庭等の一般的な浴室（ユニットルーム）においても、利便性の高いユニットルーム構造およびユニットルーム施工方法を提供する。
【課題を解決するための手段】
【０００８】
本発明のユニットルーム構造は、一端に排水口が設けられた浴槽パンを含み、一般仕様の浴槽と介護用の機械浴槽とを相互に交換可能なユニットルーム構造であり、
略中央に一般仕様の浴槽の脚部が接着剤で接着固定された浴槽パンの排水口が設けられた一端に設置されるグレーチング受けフレーム、および排水口が設けられた浴槽パンの他端に設置される床台受けフレーム、および床台受けフレーム上に設置される床台、
または、グレーチング受けフレーム、および浴槽パンに設置される機械浴槽設置用床台、
または、浴槽パンに設置され、浴槽パン全体を覆うフラット床台、
のうちいずれか１つを選択可能であり、機械浴槽設置用床台は、機械浴槽からの排水を一時的に貯める溝部を有する。
【０００９】
また、本発明のユニットルーム構造は、一端に排水口が設けられた浴槽パンを含み、一般仕様の浴槽と介護用の機械浴槽とを相互に交換可能なユニットルーム構造であり、
一般仕様の浴槽の脚部が接着剤で接着固定される浴槽パンの排水口が設けられた一端に設置されるグレーチング受けフレーム、
または、グレーチング受けフレーム、および浴槽パンに設置される機械浴槽設置用床台、
または、浴槽パンに設置され、浴槽パン全体を覆うフラット床台、
のうちいずれか１つを選択可能であり、機械浴槽設置用床台は、機械浴槽からの排水を一時的に貯める溝部を有する。
【００１０】
また、本発明のユニットルーム施工方法は、一端に排水口が設けられた浴槽パン上で一般仕様の浴槽と介護用の機械浴槽とを相互に交換可能なユニットルーム施工方法であり、  略中央に一般仕様の浴槽の脚部が接着剤で接着固定された浴槽パンの排水口が設けられた一端に設置されるグレーチング受けフレームと、排水口が設けられた浴槽パンの他端に設置される床台受けフレームと、床台受けフレーム上に設置される床台と、を設置すること、
または、グレーチング受けフレームと、浴槽パンに設置可能で機械浴槽からの排水を一時的に貯める溝部を有する機械浴槽設置用床台と、を設置すること、
または、浴槽パンに設置可能であり、浴槽パン全体を覆うフラット床台を設置すること、
のうちいずれか１つを選択可能である。
【００１１】
これらの発明によれば、一般仕様の浴槽が利用される（設置される）際には、グレーチング受けフレームと、床台受けフレームと、床台が浴槽パンに設置されたり、グレーチング受けフレームが浴槽パンに設置されるため、これらと一般仕様の浴槽がしっかりと係合して浴槽パンに設置される。また、機械浴槽が利用される（設置される）際には、グレーチング受けフレームと、機械浴槽設置用床台が浴槽パンに設置されるため、機械浴槽設置用床台の上に、機械浴槽を設置することができる。なお、一般仕様の浴槽および機械浴槽のどちらも利用されない際には、フラット床台が浴槽パン全体を覆うように設置されるため、フラット床台上でのシャワーの利用などが可能となる。
【００１２】
また、設置される一般仕様の浴槽の長辺と、グレーチング受けフレームの短辺と、床台の短辺の和は、浴槽パンの長辺と等しく、かつ、グレーチング受けフレームの短辺と、機械浴槽設置用床台の長辺の和は、浴槽パンの長辺と等しいことが望ましい。もしくは、設置される一般仕様の浴槽の長辺と、グレーチング受けフレームの短辺の和は、浴槽パンの長辺と等しく、かつ、グレーチング受けフレームの短辺と、機械浴槽設置用床台の長辺の和は、浴槽パンの長辺と等しいことが望ましい。このような構造により、一般仕様の浴槽が利用される際には、一般仕様の浴槽と、グレーチング受けフレームや床台を、浴槽パンにしっかりと隙間なく設置することができる。また、機械浴槽が利用される際には、グレーチング受けフレームと、機械浴槽設置用床台を、浴槽パンにしっかりと隙間なく設置することができる。
【００１３】
また、溝部は、浴槽パンの排水口が設けられた一端に向かって低くなるように傾斜していることが望ましい。これにより、機械浴槽から排出される排水を、排水口に向かってスムーズに誘導することができる。
【００１４】
また、機械浴槽設置用床台は上部に、機械浴槽が載る平面部であり、当該機械浴槽が設置されるユニットルームに設けられた排水口がある方向に向かって低くなるように傾斜している平面部を有することが望ましい。これにより、機械浴槽を平面部上に設置することができ、平面部上に設置された機械浴槽からの排水が機械浴槽設置用床台の溝部からあふれ出した場合でも、当該排水はユニットルームに設けられた排水口に向かって流れる。
【００１５】
また、平面部が占める面積は、機械浴槽設置用床台の上部の半分以上の面積であることが望ましい。これにより、機械浴槽が設置される平面部を十分に広く設けることができる。
【００１６】
また、設置される一般仕様の浴槽と、当該一般仕様の浴槽が当接する壁面との間に設けられる浴槽デッキカウンター天板であり、浴槽デッキカウンター天板は、浴槽パンに設けられた排水口がある方向に向かって低くなるように傾斜している傾斜部分を含むことが望ましい。これにより、一般仕様の浴槽からあふれた排水は、傾斜部分を伝わって排水口へと流れる。
【発明の効果】
【００１７】
（１）本発明は、上述した構成により、一般仕様の浴槽が利用される際には、グレーチング受けフレームや、床台受けフレーム、床台などが浴槽パンに設置されるため、これらと一般仕様の浴槽がしっかりと係合して浴槽パンに設置され、安全に一般仕様の浴槽を使用することができる。また、機械浴槽が利用される際には、グレーチング受けフレームと、機械浴槽設置用床台が浴槽パンに設置されるため、機械浴槽設置用床台の上に、機械浴槽を設置することができる。よって、一般仕様の浴槽と機械浴槽とを交換する際においても、これらの部材を取り外したり、組み立てたりすることで、交換作業を行うことができる。なお、一般仕様の浴槽および機械浴槽のどちらも利用されない際には、フラット床台が浴槽パン全体を覆うように設置されるため、フラット床台上でのシャワーの利用などが可能となり、さらに利便性の高いユニットルーム構造を提供することができる。
【００１８】
（２）また、設置される一般仕様の浴槽の長辺と、グレーチング受けフレームの短辺と、床台の短辺の和や、設置される一般仕様の浴槽の長辺と、グレーチング受けフレームの短辺の和は、浴槽パンの長辺と等しく、かつ、グレーチング受けフレームの短辺と、機械浴槽設置用床台の長辺の和は、浴槽パンの長辺と等しい構成により、一般仕様の浴槽が利用される際には、一般仕様の浴槽と、グレーチング受けフレームや床台を、浴槽パンにしっかりと隙間なく設置することができる。また、機械浴槽が利用される際には、グレーチング受けフレームと、機械浴槽設置用床台を、浴槽パンにしっかりと隙間なく設置することができる。よって、より安全で利便性の高いユニットルーム構造を提供することができる。
【００１９】
（３）また、溝部は、浴槽パンの排水口が設けられた一端に向かって低くなるように傾斜している構成により、機械浴槽から排出される排水を、排水口に向かってスムーズに誘導することができるため、浴槽パンに垂れ流しとなった排水が原因である悪臭の発生を防ぐことができる。
【００２０】
（４）また、機械浴槽設置用床台は上部に、機械浴槽が載る平面部であり、当該機械浴槽が設置されるユニットルームに設けられた排水口がある方向に向かって低くなるように傾斜している平面部を有する構成により、機械浴槽を平面部上に設置することができ、平面部上に設置された機械浴槽からの排水が機械浴槽設置用床台の溝部からあふれ出した場合でも、当該排水はユニットルームに設けられた排水口に向かって流れるため、排水がユニットルームの隅に溜まったままになることを防ぐことができる。
【００２１】
（５）また、平面部が占める面積は、機械浴槽設置用床台の上部の半分以上の面積である構成により、機械浴槽が設置される平面部を十分に広く設けることができるため、様々な種類の機械浴槽を平面部上に設置することができる。
【００２２】
（６）また、設置される一般仕様の浴槽と、当該一般仕様の浴槽が当接する壁面との間に設けられる浴槽デッキカウンター天板であり、浴槽デッキカウンター天板は、浴槽パンに設けられた排水口がある方向に向かって低くなるように傾斜している傾斜部分を含む構成により、一般仕様の浴槽からあふれた排水は、傾斜部分を伝わって排水口へと流れるため、排水が溜まったままになることを防ぐことができる。
【図面の簡単な説明】
【００２３】
【図１】本発明の実施の形態に係るユニットルーム構造を説明するための概略平面図である。
【図２】本発明の実施の形態に係るユニットルーム構造を説明するための図であり、（Ａ）は一般仕様の浴槽が利用される際のユニットルーム構造の分解斜視図、（Ｂ）は機械浴槽が利用される際のユニットルーム構造の分解斜視図である。
【図３】本発明の実施の形態に係るユニットルーム構造を説明するための図であり、（Ａ）は一般仕様の浴槽が利用される際のユニットルーム構造の斜視図、（Ｂ）は機械浴槽が利用される際のユニットルーム構造の斜視図である。
【図４】本発明の実施の形態に係る浴槽パンを説明するための図であり、（Ａ）は浴槽パンの斜視図、（Ｂ）は浴槽パンの正面図、（Ｃ）は浴槽パンの右側面図である。
【図５】本発明の実施の形態に係るエプロンを説明するための図であり、（Ａ）は斜視図、（Ｂ）は別の方向から見た斜視図である。
【図６】本発明の実施の形態に係るグレーチング受けフレームの斜視図である。
【図７】本発明の実施の形態に係る床台の斜視図である。
【図８】本発明の実施の形態に係る床台受けフレームの斜視図である。
【図９】（Ａ）は本発明の実施の形態に係る浴槽デッキカウンターブラケットの斜視図、（Ｂ）は本発明の実施の形態に係る浴槽デッキカウンター天板の斜視図である。
【図１０】本発明の実施の形態に係る浴槽デッキカウンターブラケットおよび浴槽デッキカウンター天板を説明するための図である。
【図１１】本発明の実施の形態に係る機械浴槽用床台を説明するための図であり、（Ａ）は斜視図、（Ｂ）は別の方向から見た斜視図である。
【図１２】本発明の実施の形態に係る機械浴槽用床台の傾斜を説明するための図でる。
【発明を実施するための形態】
【００２４】
以下に本発明の実施の形態を詳細に説明するが、以下に記載する構成要件の説明は、本発明の実施態様の一例（代表例）であり、本発明はその要旨を変更しない限り、以下の内容に限定されない。
【００２５】
［ユニットルーム構造］
図１は、本発明の実施の形態に係るユニットルーム構造を説明するための概略平面図である。図１に示すように、ユニットルーム構造１は、一般仕様の浴槽３０と介護用の機械浴槽４０とを相互に交換可能なユニットルーム構造である。また、ユニットルーム構造１は、一端に排水口１１が設けられた浴槽パン１０を含み、利用者が体を洗う洗い場Ｗと隣接する。
【００２６】
一般仕様の浴槽３０とは、身体に不自由ない、いわゆる健康者が利用する浴槽である。一方、機械浴槽４０とは、入浴動作や座位の保持が出来なかったり、寝たきりだったりする要介護者が入力する際に利用される、機械式の浴槽である。機械浴槽は、例えば、酒井医療株式会社やオージー技研株式会社、株式会社アマノなどの企業が製造販売している入浴機器である。
【００２７】
また、一般仕様の浴槽３０および機械浴槽４０のどちらも利用されない際には、ユニットルーム構造１の浴槽パン１０にフラット床台２０が設置される。これにより、ユニットルームは、シャワー室としても利用することができる。
【００２８】
図２は、本発明の実施の形態に係るユニットルーム構造を説明するための図であり、（Ａ）は一般仕様の浴槽が利用される際のユニットルーム構造の分解斜視図、（Ｂ）は機械浴槽が利用される際のユニットルーム構造の分解斜視図である。図２（Ａ）に示すように、一般仕様の浴槽３０が利用される際、ユニットルーム構造１は、グレーチング受けフレーム３０１、床台受けフレーム３０２、床台３０３、エプロン３０４、浴槽デッキカウンターブラケット３０５、浴槽デッキカウンター天板３０６を含む。
【００２９】
また、図２（Ｂ）に示すように、機械浴槽４０が利用される際、ユニットルーム構造１は、グレーチング受けフレーム３０１、機械浴槽設置用床台４０１を含む。なお、機械浴槽設置用床台４０１は、機械浴槽４０からの排水を一時的に貯める溝部４０２を有する。
【００３０】
［ユニットルーム施工方法］
以下、各図面に基づいて、本発明の実施の形態に係るユニットルーム施工方法を、本発明の実施の形態に係るユニットルーム構造と併せて説明する。なお、以下に説明する実施の形態は、一般仕様の浴槽３０が浴槽パン１０の略中央に設置されて、一般仕様の浴槽３０の背面３０Ｒが壁面に当接し、残りの三面がエプロン３０４で覆われる形態である。
【００３１】
（１．未使用時）
一般仕様の浴槽３０および機械浴槽４０が利用されず、またシャワー室としても利用されない、つまり施工前の状態では、ユニットルーム構造１は、一端に排水口１１が設けられた浴槽パン１０を含む。図１に示す実施の形態においては、排水口１１は、方向Ｘから見て左側に設けられている。また排水口１１は、使用する水量が多い機械浴槽４０が設置された場合でも十分に排水量を確保できるように（排水詰まりとならないように）、複数箇所（本実施の形態においては２箇所）設けられる。ここで、排水口１１は、方向Ｘから見て右側に設けられていてもよく、３箇所以上設けられていてもよい。
【００３２】
図４は、本発明の実施の形態に係る浴槽パンを説明するための図であり、（Ａ）は浴槽パンの斜視図、（Ｂ）は浴槽パンの正面図、（Ｃ）は浴槽パンの右側面図である。浴槽パン１０は、排水口１１、脚部１０１を有する。
【００３３】
（２．一般仕様の浴槽利用時）
最初に、一般仕様の浴槽が利用される際のユニットルーム構造１の床施工方法について説明する。図２（Ａ）は、本発明の実施の形態に係るユニットルーム構造を説明するための図であり、一般仕様の浴槽が利用される際のユニットルーム構造の分解斜視図である。一般仕様の浴槽が利用される際には、まず、浴槽パン１０の排水口１１が設けられた一端に、グレーチング受けフレーム３０１が設置される。そして、浴槽パン１０の他端（排水口１１が設けられた一端とは反対方向にある一端）に、床台受けフレーム３０２および床台３０３が、それぞれ設置される。
【００３４】
図６は、本発明の実施の形態に係るグレーチング受けフレームの斜視図である。グレーチング受けフレーム３０１は、脚部３０１１を有する。また、図７，８は本発明の実施の形態に係る床台および床台受けフレームの斜視図である。床台受けフレーム３０２は脚部３０２１を有し、床台受けフレーム３０２の上に床台３０３が設置される。床台受けフレーム３０２と床台３０３の縦横のサイズはほぼ同じであり、床台受けフレーム３０２を覆うように床台３０３が設置される。
【００３５】
浴槽パン１０の両端に、グレーチング受けフレーム３０１と、床台受けフレーム３０２および床台３０３と、がそれぞれ設置されると、浴槽パン１０の略中央にスペースが空く。そして、当該スペースに、エプロン３０４（エプロン３０４Ｆ，エプロン３０４Ｓ）が設置される。
図５は、本発明の実施の形態に係るエプロンを説明するための図であり、（Ａ）は斜視図、（Ｂ）は別の方向から見た斜視図である。図２（Ａ）および図５に示すように、エプロン３０４は、一般仕様の浴槽３０の前面をエプロン３０４Ｆが、一般仕様の浴槽３０の両側面をエプロン３０４Ｓがそれぞれ覆う構成となっている。
【００３６】
そして、設置されたエプロン３０４の内側に、一般仕様の浴槽３０が設置される。図２（Ａ）に示す例では、一般仕様の浴槽３０の背面３０Ｒを除く三面を、エプロン３０４がそれぞれ覆う構成となっている。なお、一般仕様の浴槽３０は、その脚部（底面）が、接着剤で浴槽パン１０に接着固定される。
【００３７】
また、図９は本発明の実施の形態に係る浴槽デッキカウンターブラケットの斜視図であり、図１０は本発明の実施の形態に係る浴槽デッキカウンター天板の斜視図である。図２（Ａ），図９および図１０に示すように、一般仕様の浴槽３０は浴槽デッキカウンターブラケット３０５および浴槽デッキカウンター天板３０６に当接する。浴槽デッキカウンターブラケット３０５および浴槽デッキカウンター天板３０６は、壁面に当接する。つまり、浴槽デッキカウンターブラケット３０５および浴槽デッキカウンター天板３０６は、一般仕様の浴槽３０と壁面との間に挟まれる形となる。なお、浴槽デッキカウンター天板３０６は、浴槽デッキカウンターブラケット３０５上に載る。
【００３８】
浴槽デッキカウンターブラケット３０５および浴槽デッキカウンター天板３０６は、浴槽と壁面間の化粧の役割を持つ。また、浴槽デッキカウンター天板３０６は、浴槽からあふれた排水を適切に処理する役割を持つ。浴槽デッキカウンター天板３０６は、段差を挟んで、上面が水平である水平部分３０６Ａと、上面が傾斜している（水平部分３０６Ａから離れる方向に向かって、１°程度の勾配）傾斜部分３０６Ｂとを含んでいる（図９（Ｂ）参照）。
【００３９】
そして、一般仕様の浴槽３０のフランジ部分３０Ａと水平部分３０６Ａは、同じ高さで形成される（図１０（Ａ）参照）。一方、一般仕様の浴槽３０のフランジ部分３０Ｂと傾斜部分３０６Ｂは、同じ高さで形成される（図１０（Ａ）参照）。また、水平部分３０６Ａは傾斜部分３０６Ｂよりも高く形成され、フランジ部分３０Ａはフランジ部分３０Ｂよりも高く形成される。
【００４０】
このような構成により、一般仕様の浴槽３０からあふれる排水は、フランジ部分３０Ａよりも低く形成されているフランジ部分３０Ｂから傾斜部分３０６Ｂへ伝わり、排水口１１へ向かって流れる（図１０（Ｂ）の破線参照）。傾斜部分３０６Ｂは上面が傾斜しているため、排水はスムーズに排水口１１へ向かって流れる。よって、一般仕様の浴槽３０からの排水が溜まることを防ぎ、溜まった排水が原因である悪臭の発生を防ぐことができる。
【００４１】
以上のような手順で、浴槽パン１０に一般仕様の浴槽３０が設置される（図３（Ａ）参照）。グレーチング受けフレーム３０１の短辺と、一般仕様の浴槽３０の長辺と、床台３０３の短辺の和は、浴槽パン１０の長辺と等しい。そのため、一般仕様の浴槽３０は、浴槽パン１０にしっかりと隙間なく設置される。ここで、「一般仕様の浴槽３０の長辺の長さ」と「エプロン３０４で囲まれた一般仕様の浴槽３０の長辺の長さ」は同義とする。
【００４２】
また、浴槽パン１０に接着剤で接着固定された一般仕様の浴槽３０の脚部は、接着剤剥がし液（接着剤剥がし剤）により浴槽パン１０から剥がすことができる。そして、グレーチング受けフレーム３０１や床台フレーム３０２、床台３０３なども、上記とは逆の手順で解体することで、未使用時の状態に戻すことができる。
なお、一般仕様の浴槽３０が浴槽パン１０の一端に設置されて、一般仕様の浴槽３０の背面３０Ｒと、一般仕様の浴槽３０の左側面または右側面のいずれか一方（つまり、一般仕様の浴槽３０の二面）が壁面に当接する形態においても、上述した施工方法と同等の手順が行われる。この場合、床台受けフレーム３０２および床台３０３は不要となり、壁面と当接する二面以外の残りの二面がエプロンで覆われる。
【００４３】
（３．機械浴槽利用時）
次に、機械浴槽が利用される際のユニットルーム構造１の床施工方法について説明する。図２（Ｂ）は、本発明の実施の形態に係るユニットルーム構造を説明するための図であり、機械浴槽が利用される際のユニットルーム構造の分解斜視図である。機械浴槽が利用される際には、グレーチング受けフレーム３０１と機械浴槽設置用床台４０１が、浴槽パン１０に設置される。
【００４４】
機械浴槽設置用床台４０１は、浴槽パン１０の排水口１１が備えられている方向に向かって低くなるように傾斜した溝部４０２と、機械浴槽４０（特に、機械浴槽４０の脚部など）が載る平面部４０３とを有する。ここで、平面部４０３は、機械浴槽４０の脚部などが外れることなく載るように、十分に広く設けられる。平面部４０３が十分に広く設けられることにより、様々な種類の機械浴槽であっても、安定して機械浴槽設置用床台４０１上に設置することができる。
【００４５】
また、機械浴槽設置用床台４０１は、浴槽パン１０上に設置される。なお、グレーチング受けフレーム３０１は、浴槽パン１０の一端、排水口１１が設けられた一端に設置される（図３（Ａ）参照）。そして、浴槽パン１０上に設置された機械浴槽設置用床台４０１の上に、機械浴槽４０が設置される。
【００４６】
ここで、グレーチング受けフレーム３０１の短辺と、機械浴槽設置用床台４０１の長辺の和は、浴槽パン１０の長辺と等しい。そのため、機械浴槽設置用床台４０１は、浴槽パン１０にしっかりと隙間なく設置される。この時、機械浴槽設置用床台４０１は浴槽パン１０にシリコンなどで固定接着される。そして、機械浴槽に代えて一般仕様の浴槽が利用される際には、固定接着された機械浴槽設置用床台４０１は、工事によりはく離される。また、機械浴槽の重量は、一般的に２００ｋｇ前後またはそれ以上であるため、機械浴槽設置用床台４０１に接着固定せずとも十分に安定する。
【００４７】
なお、機械浴槽設置用床台４０１は、浴槽パン１０の排水口１１が備えられている方向に向かって低くなるように傾斜した溝部４０２を有する（図１１参照）。溝部４０２は、機械浴槽４０の排水を一時的に貯めつつ、排水口１１に向かって排水が流れる経路となる。機械浴槽は、一般仕様の浴槽に比べて使われる水量が多い。そのため、溝部４０２を設けることで、機械浴槽４０から大量に排出される排水を一時的に貯め、排水を外に漏らすことなく（浴槽パン１０全体に排水が広がることなく）排水口１１へ誘導することができる。これにより、浴槽パン１０に垂れ流しとなった排水が原因である悪臭の発生を防ぐことができる。
【００４８】
さらに、機械浴槽設置用床台４０１は、機械浴槽４０が載る平面部４０３を有する。平面部４０３は、機械浴槽４０が設置されるユニットルームに設けられた排水口１２がある方向（図２，１１，１２における方向Ｙ）に向かって低くなるように傾斜している。具体的には、平面部４０３は、方向Ｙに向かって低くなるように１／２５０〜１／１００勾配で傾斜している。角度θで言うと、約０．３°〜約０．５°である（図１２参照）。
【００４９】
このような平面部４０３の構造により、一般仕様の浴槽に比べて水量が多い機械浴槽からの排水が溝部４０２からあふれ出した場合でも、当該排水は排水口１２に向かって流れる。もしくは、溝部４０２からあふれ出した排水が、平面部４０３の傾斜構造により再び溝部４０２へ流れ込み、排水口１１へと誘導される。つまり、溝部４０２からあふれ出した排水はいずれかの排水口へと誘導されるため、排水がユニットルームの隅に溜まったままにならず、悪臭の発生を防ぐことができる。また、平面部４０３の傾斜角度θは、機械浴槽４０が傾きすぎたり、利用者が機械浴槽４０へ入り辛くなったりなど、機械浴槽４０の利用に影響が出ない程度のものである。
【００５０】
（４．シャワー室として利用時）
ユニットルーム構造１は、一般仕様の浴槽３０および機械浴槽３０のどちらも利用されない際には、浴槽パン１０にフラット床台２０が設置されることで、シャワー室としても利用することができる（図１参照）。
【００５１】
このように、ユニットルーム構造１は、ユニットルーム施工方法により一般仕様の浴槽と機械浴槽とを相互に交換可能である。そのため、介護施設や一般家庭等の一般的な浴室（ユニットルーム）においても機械浴槽を導入することが可能となり、また、利用者の重度化に合わせて、一般仕様の浴槽を利用するか、機械浴槽を利用するか、またはシャワー室として利用するかなど、適宜切り替えることが可能である。
【産業上の利用可能性】
【００５２】
本発明は、一般仕様の浴槽から介護用の機械浴槽に交換可能であり、また、介護用の機械浴槽から一般仕様の浴槽への交換等もできることで、介護施設や一般家庭等に対して利便性の高いユニットルーム構造およびユニットルーム施工方法を提供することができるため、産業上有用である。
【符号の説明】
【００５３】
１  ユニットルーム構造
１０  浴槽パン
１１，１２  排水口
１０１，３０１１，３０２１  脚部
２０  フラット床台
３０  一般仕様の浴槽
３０Ａ，３０Ｂ  一般仕様の浴槽のフランジ部分
３０Ｒ  一般仕様の浴槽の背面
３０１  グレーチング受けフレーム
３０２  床台受けフレーム
３０３  床台
３０４，３０４Ｆ，３０４Ｓ  エプロン
３０５  浴槽デッキカウンターブラケット
３０６  浴槽デッキカウンター天板
３０６Ａ  水平部分
３０６Ｂ  傾斜部分
４０  機械浴槽
４０１  機械浴槽設置用床台
４０２  溝部
４０３  平面部
Ｗ  洗い場
Ｘ，Ｙ  方向
θ  傾斜角度
【要約】
【課題】一般仕様の浴槽と介護用の機械浴槽が相互に交換可能なユニットルーム構造の提供。
【解決手段】ユニットルーム構造１は、一端に排水口１１が設けられた浴槽パン１０を含み、一般仕様の浴槽３０と機械浴槽４０とを相互に交換可能であり、一般仕様の浴槽３０の脚部が接着固定される浴槽パン１０の排水口１１が設けられた一端に設置されるグレーチング受けフレーム３０１、および浴槽パン１０の排水口１１が設けられた別の一端に設置される床台受けフレーム３０２、およびその上に設置される床台３０３、または、グレーチング受けフレーム３０１、および浴槽パン１０に設置される機械浴槽設置用床台４０１、または、浴槽パン１０に設置され、浴槽パン１０全体を覆うフラット床台、のうちいずれか１つを選択可能であり、機械浴槽設置用床台４０１は、機械浴槽４０からの排水を一時的に貯める溝部４０２を有する。
【選択図】図２【図１】
0006873523.tif 000002
【図２】
0006873523.tif 000003
【図３】
0006873523.tif 000004
【図４】
0006873523.tif 000005
【図５】
0006873523.tif 000006
【図６】
0006873523.tif 000007
【図７】
0006873523.tif 000008
【図８】
0006873523.tif 000009
【図９】
0006873523.tif 000010
【図１０】
0006873523.tif 000011
【図１１】
0006873523.tif 000012
【図１２】
0006873523.tif 000013